(57)【要約】【課題】選局に要する時間を短縮可能な放送受信装置を提供すること【解決手段】互いに異なる周波数の局部発振信号を生成する複数のＰＬＬ部と、放送信号と局部発振信号とを乗算して周波数変換を行うミキサと、複数のＰＬＬ部で生成される局部発振信号から選局チャンネルに対応する周波数の局部発振信号を前記ミキサに供給する切替部と、を備える【選択図】図２
2014175740.tif 000002
【特許請求の範囲】
【請求項１】
互いに異なる周波数の局部発振信号を生成する複数のＰＬＬ部と、
放送信号と局部発振信号とを乗算して周波数変換を行うミキサと、
複数のＰＬＬ部で生成される局部発振信号から選局チャンネルに対応する周波数の局部発振信号を前記ミキサに供給する切替部と、
を備える放送受信装置。
【請求項２】
複数のＰＬＬ部のうち一のＰＬＬ部は選局チャンネルに対応する周波数の局部発振信号を生成し、他のＰＬＬ部は選局チャンネルに隣接するチャンネルに対応する周波数の局部発振信号を生成する請求項１に記載の放送受信装置。
【請求項３】
複数のＰＬＬ部のうち一のＰＬＬ部は選局チャンネルに対応する周波数の局部発振信号を生成し、他のＰＬＬ部は過去に選局した選局チャンネルに対応する周波数の局部発振信号を生成する請求項１に記載の放送受信装置
【請求項４】
複数のＰＬＬ部のうち一のＰＬＬ部は選局チャンネルに対応する周波数の局部発振信号を生成し、他のＰＬＬ部は過去に選局した選局チャンネルのうち所定時間以上選局していた選局チャンネルに対応する周波数の局部発振信号を生成する請求項１に記載の放送受信装置。
【請求項５】
複数のＰＬＬ部のうち一のＰＬＬ部は選局チャンネルに対応する周波数の局部発振信号を生成し、他のＰＬＬ部は選局チャンネルを基準としてチャンネルの選局操作に対応付けられた連続するチャンネルに対応する周波数の局部発振信号を生成する請求項１に記載の放送受信装置。
【請求項６】
複数のＰＬＬ部のうち一のＰＬＬ部は選局チャンネルに対応する周波数の局部発振信号を生成し、他のＰＬＬ部は視聴頻度の高いチャンネルに対応する周波数の局部発振信号を生成する請求項１に記載の放送受信装置。
【発明の詳細な説明】
【技術分野】
【０００１】
本発明は、放送受信装置に関する。
【背景技術】
【０００２】
近年、テレビ放送受信装置等、衛星放送を受信可能な放送受信装置が普及している。放送信号はチューナによって周波数変換されて復調器により復調される。
【０００３】
より詳説すると、チューナは局部発振器とフィルタ回路を備える。放送信号には局部発振器から出力される選局チャンネルに対応する周波数の局部発振信号が乗算されてベースバンド信号に周波数変換される。ベースバンド信号はフィルタ回路を通して不要成分が除去されて復調器に出力される。
【０００４】
つまり局部発振器は選局チャンネル毎に異なる周波数の局部発振信号を生成して出力しなければならず、選局チャンネルが変更された場合には新たに選局されたチャンネルに対応する周波数の局部発振信号を生成しなければならない。局部発振信号の生成にはある程度の時間を要するので選局チャンネルの変更が指示されてから出画（指示された選局チャンネルの映像が表示画面に表示）されるまでにある程度の時間を要することとなっていた。
【０００５】
特許文献１にはチャンネルスキャン時の選局順序をチャンネル変化時のチューニング電圧の変化幅がないか又は最小となるように最適化することでロックアップタイムを短縮することが開示されているが、選局に要する時間を短縮することについて開示するものではない。
【先行技術文献】
【特許文献】
【０００６】
【特許文献１】特開２００９−２３２３５５号公報
【発明の概要】
【発明が解決しようとする課題】
【０００７】
本発明は上述した問題点に鑑み、選局に要する時間を短縮可能な放送受信装置を提供することを目的とする。
【課題を解決するための手段】
【０００８】
上記目的を達成するために本発明の放送受信装置は、互いに異なる周波数の局部発振信号を生成する複数のＰＬＬ部と、放送信号と局部発振信号とを乗算して周波数変換を行うミキサと、複数のＰＬＬ部で生成される局部発振信号から選局チャンネルに対応する周波数の局部発振信号を前記ミキサに供給する切替部と、を備えることを特徴とする。
【０００９】
また上記構成の放送受信装置において、複数のＰＬＬ部のうち一のＰＬＬ部は選局チャンネルに対応する周波数の局部発振信号を生成し、他のＰＬＬ部は選局チャンネルに隣接するチャンネルに対応する周波数の局部発振信号を生成することが望ましい。
【００１０】
また上記構成の放送受信装置において、複数のＰＬＬ部のうち一のＰＬＬ部は選局チャンネルに対応する周波数の局部発振信号を生成し、他のＰＬＬ部は過去に選局した選局チャンネルに対応する周波数の局部発振信号を生成することが望ましい。
【００１１】
また上記構成の放送受信装置において、複数のＰＬＬ部のうち一のＰＬＬ部は選局チャンネルに対応する周波数の局部発振信号を生成し、他のＰＬＬ部は過去に選局した選局チャンネルのうち所定時間以上選局していた選局チャンネルに対応する周波数の局部発振信号を生成することが望ましい。
【００１２】
また上記構成の放送受信装置において、複数のＰＬＬ部のうち一のＰＬＬ部は選局チャンネルに対応する周波数の局部発振信号を生成し、他のＰＬＬ部は選局チャンネルを基準としてチャンネルの選局操作に対応付けられた連続するチャンネルに対応する周波数の局部発振信号を生成することが望ましい。
【００１３】
また上記構成の放送受信装置において、複数のＰＬＬ部のうち一のＰＬＬ部は選局チャンネルに対応する周波数の局部発振信号を生成し、他のＰＬＬ部は視聴頻度の高いチャンネルに対応する周波数の局部発振信号を生成することが望ましい。
【発明の効果】
【００１４】
本発明によれば、放送受信装置は互いに異なる周波数の局部発振信号を生成する複数のＰＬＬ部を備える。また、複数のＰＬＬ部から出力される局部発振信号から選局チャンネルに対応する周波数の局部発振信号をミキサに供給する切替部を備える。選局チャンネルが変更された場合にミキサに局部発振信号を供給するＰＬＬ部を、選局操作前のチャンネルに対応する局部発振信号を生成するＰＬＬ部から、選局操作後のチャンネルに対応する局部発振信号を生成するＰＬＬ部に切り替えることで選局操作後のチャンネルの映像が表示される。つまり、選局操作後のチャンネルに対応する周波数の局部発振信号が予め生成されるので選局に要する時間を短縮することができる。
【図面の簡単な説明】
【００１５】
【図１】放送受信装置の構成の一例を示す図
【図２】図１の局部発振器の構成の第１の例を示す図
【図３】図１の局部発振器の構成の第２の例を示す図
【図４】放送受信装置を操作するためのリモコンを示す図
【図５】放送受信装置の制御部が実行する処理を示すフローチャート
【図６】各ＰＬＬ部が生成する局部発振信号の第１の例を示すタイムチャート
【図７】各ＰＬＬ部が生成する局部発振信号の第２の例を示すタイムチャート
【図８】各ＰＬＬ部が生成する局部発振信号の第３の例を示すタイムチャート
【図９】各ＰＬＬ部が生成する局部発振信号の第４の例を示すタイムチャート
【図１０】各ＰＬＬ部が生成する局部発振信号の第５の例を示すタイムチャート
【図１１】視聴頻度の一例を示す図
【発明を実施するための形態】
【００１６】
＜第１実施形態＞
以下に本発明の放送受信装置について図面を参照して説明する。なお、以下に示す実施形態は、本発明の技術的思想を具体化するために放送受信装置の一例を示すものであって、本発明をこの放送受信装置に特定することを意図するものではなく、特許請求の範囲に含まれるその他の実施形態の装置にも等しく適応し得るものである。
【００１７】
図１は本実施形態の放送受信装置の構成の一例を示す図である。図２は図１の局部発振器の第１の例を示す図である。図３は図１の局部発振器の第２の例を示す図である。本実施形態で放送受信装置１はチューナ２、復調器１２及び制御部１３を備える。本実施形態では放送受信装置１が１個のチューナ２を備えることとして説明を行うが、複数のチューナ２を備えることとしてもよい。チューナ２はアンテナ３０の出力信号（以下、「アンテナ３０の出力信号」を「放送信号」と称することもある。）を取得する。そして、チューナ２は放送信号に選局チャンネルに対応する周波数の局部発振信号を乗算してベースバンド信号に周波数変換する。
【００１８】
以下、チューナ２についてさらに詳説する。チューナ２は入力端子３、第１の可変利得器４、第１のフィルタ５、第２の可変利得器６、ミキサ７、局部発振器８、第２のフィルタ９、第３の可変利得器１０及び出力端子１１を備える。
【００１９】
入力端子３にはアンテナ３０が受信した放送信号が入力される。第１の可変利得器４は入力端子３に入力された放送信号のレベルが小さい場合に音質、画質等を確保するために雑音指数（ＮＦ）を小さくしたローノイズアンプである。
【００２０】
第１のフィルタ５は第１の可変利得器４の出力信号から受信帯域（全受信放送周波数帯）のみを選別し、それ以外の周波数成分を除去する。例えばユーザによりＢＳが選局されているときは衛星放送以外の周波数帯が除去される。
【００２１】
第１のフィルタ５の出力信号は第２の可変利得器６によって利得が調整される。ミキサ７は第２の可変利得器６の出力信号に局部発振器８から出力される局部発振信号（詳細は後述）を乗算してベースバンド信号に周波数変換する。
【００２２】
図２及び図３を参照して局部発振器８について詳説する。図２及び図３に示す局部発振器８は基準信号発生器８１、複数のＰＬＬ部８２（８２−１、８２−２、８２−３）及び切替部８３を備える。基準信号発生器８１は所定の一定の周波数の基準信号を生成して出力する。ＰＬＬ部８２−１、８２−２、８２−３は互いに異なる周波数、すなわち異なるチャンネルに対応する周波数の局部発振信号を生成する。
【００２３】
なお、本実施形態ではＰＬＬ部８２−１、８２−２、８２−３が単一の基準信号発生器８１を共用することとするが、これに限られるものではなく局部発振器８が２個以上の基準信号発生器８１を備えることとしてもよい。本実施形態のようにＰＬＬ部８２−１、８２−２、８２−３が単一の基準信号発生器８１を共用する場合には基準信号発生器８１とＰＬＬ部８２−１、８２−２、８２−３との間に利得増幅器を配することとしてもよい。その際、ＰＬＬ部８２−１、８２−２、８２−３が単一の利得増幅器を共用することとしてもよいし、局部発振器８が複数の利得増幅器を備えることとしてもよい。
【００２４】
ＰＬＬ部８２−１、８２−２、８２−３は同一構成であるため内部構成において同一の構成には同一の符号を付す。また、以下の説明においてＰＬＬ部８２−１、８２−２、８２−３を区別する必要がない場合は、単にＰＬＬ部８２と記載する。以下、ＰＬＬ部８２についてさらに詳説する
【００２５】
ＰＬＬ部８２は電圧制御発振器（ＶＣＯ：Ｖｏｌｔａｇｅ  Ｃｏｎｔｒｏｌｌｅｄ  Ｏｓｃｉｌｌａｔｏｒ）８２１（以下、「電圧制御発振器」を「ＶＣＯ」とも称する。）、分周器（ＤＩＶ：Ｄｉｖｉｄｅｒ）８２２、位相比較器８２３、ループフィルタ８２４を備える。また、図３に示す局部発振器８はさらに分周器８２５を備える。
【００２６】
ＶＣＯ８２１は周波数制御電圧に応じた周波数の発振信号を生成して出力する。分周器８２２はＶＣＯ８２１から出力された発振信号を所定の分周比で分周する。分周器８２２における分周比は後述する制御部１３により変更可能である。つまり分周器８２２は可変分周器である。分周比が１であればＶＣＯ８２１から出力された発振信号と分周器８２２によって分周された発振信号が一致する。
【００２７】
位相比較器８２３は分周器８２２により分周された発振信号と基準信号発生器８１から出力された基準信号の位相を比較し、位相差を示す信号が出力される。ループフィルタ８２４は位相比較器８２３から出力された位相差を示す信号に基づいてＶＣＯ８２１を制御する直流の周波数制御電圧を出力する。そしてＶＣＯ８２１はループフィルタ８２４の周波数制御電圧に応じた周波数の発振信号を出力する。
【００２８】
図３で、分周器８２５は分周器８２２と同様にＶＣＯ８２１から出力された発振信号を所定の分周比で分周する。つまり図２ではＶＣＯ８２１から出力された発振信号が局部発振信号として局部発振器８から出力される。図３ではＶＣＯ８２１から出力された発振信号が分周器８２５によって分周されて分周した信号が局部発振信号として局部発振器８から出力される。
【００２９】
切替部８３はＰＬＬ部８２−１、８２−２、８２−３で生成される局部発振信号から選局チャンネルに対応する周波数の局部発振信号をミキサ９に供給するＰＬＬ部切替手段である。図２及び図３ではＰＬＬ部８２−２で生成される局部発振信号をミキサ９に供給する状態を示している。
【００３０】
図１に戻ってチューナ２の説明を続ける。第２のフィルタ９はミキサ７から出力されるベースバンド信号を平滑化、すなわち高周波数成分を減衰させて出力する。第２のフィルタ９の出力信号は第３の可変利得器１０によって利得が調整される。第３の可変利得器１０の出力信号は出力端子１１から復調器１２に出力される。
【００３１】
復調器（ｄｅｍｏｄｕｌａｔｏｒ）１２は出力端子１１の出力信号に対して復調処理を行い、復調信号を出力する。
【００３２】
制御部（ＣＰＵ）１３は放送受信装置１全体を制御する制御手段である。特に本実施形態において制御部１３はＰＬＬ部８２−１、８２−２、８２−３のＶＣＯ８２１によって生成される発振信号の周波数を制御することでＰＬＬ部８２−１、８２−２、８２−３が生成する局部発振信号の周波数を制御する。ＰＬＬ部８２−１、８２−２、８２−３のうち一のＰＬＬ部８２は選局チャンネルに対応する周波数の発振信号を生成し、他のＰＬＬ部８２は選局チャンネル以外のチャンネルに対応する周波数の発振信号を生成する。
【００３３】
以下、ＰＬＬ部８２−１、８２−２、８２−３が生成する局部発振信号について図４〜図６を参照して説明する。図４は放送受信装置１を操作するためのリモコン１００を示す図である。図５は本実施形態の放送受信装置１の制御部１３が実行する処理を示すフローチャートである。図６は本実施形態の各ＰＬＬ部が生成する局部発振信号の例を示すタイムチャートである。なお、図６及び後述する図７〜図１０中、太線で囲まれたチャンネルは当該チャンネルに対応する周波数の局部発振信号を生成するＰＬＬ部８２がメインＰＬＬ部（詳細は後述）であることを示す。
【００３４】
まず放送受信装置１を操作するためのリモコン１００について説明を行う。図４に示すようにリモコン１００はボタン配置面（平面部）に複数のボタンが配される。ボタンとしては放送受信装置１をＯＮ／ＯＦＦさせるための電源ボタン１０１、所望のチャンネル番号を選択する操作を行うため数字ボタン１０２、音量を増減させるための音量ボタン１０３、選局チャンネルを変更するための選局ボタン１０４、地上アナログ放送／地上デジタル放送／ＢＳ放送／ＣＳ放送を切り替える放送切替ボタン１０５等が配される。
【００３５】
数字ボタン１０２は複数のボタンを備えて左上から右下に向かって順に数字（本実施形態では１〜１２）が付され、各数字ボタンには夫々チャンネル（放送局）が割り当てられる。操作者は例えば「８」が付された数字ボタン３４を押下することで当該ボタンに割り当てられたチャンネルを選局することができる。なお、数字ボタン１０２の各ボタンに対するチャンネルの割り当ては自動的に行われることとしてもよいし、操作者によって任意に割り当てられることとしてもよい。
【００３６】
選局ボタン１０４は選局されているチャンネルを変更するボタンである。選局ボタン１０４を押下すると現在選局されているチャンネルが割り当てられた一の数字ボタン１０２を起点として、数字ボタン１０２に付された番号順に選局が変更される。選局ボタン１０４の上端（△部１０４ａ）が押下されると１大きい数字が付された数字ボタン１０２に割り当てられたチャンネルが選局され、下端（▽部１０４ｂ）が押下されると１小さい数字が付された数字ボタン１０２に割り当てられたチャンネルが選局される。以下、「Ｎが付された数字ボタン１０２に割り当てられたチャンネル」を「Ｎチャンネル」とも称する（Ｎは１〜１２の間の自然数）。
【００３７】
例えば現在、３チャンネルが選局されているとすると、上端１０４ａが押下されると４チャンネルが選局され、下端１０４ｂが押下されると２チャンネルが選局される。つまり数字ボタン１０２は所望のチャンネルを直接選局することができるボタンであり、選局ボタン１０４は他のチャンネルでどのような番組が放送されているかを確認するために全チャンネルをチェックする際など順次他のチャンネルを選局することができるボタンである。
【００３８】
選局ボタン１０４を押下してチャンネルを連続して変更したい場合には、選局ボタン１０４の押下を繰り返すこととしてもよいが、選局ボタン１０４の押下状態を持続する（選局ボタン１０４を長押しする）ことでチャンネルを連続して変更することができる。
【００３９】
次に制御部１３が実行する処理について図５を参照して説明を行う。ステップＳ０１において制御部１３は選局チャンネルを特定する。電源ボタン１０１が押下されて放送受信装置１の電源がＯＮ状態となった場合には電源がＯＦＦされる直前に選局していたチャンネルが選局チャンネルである。
【００４０】
ステップＳ０２において制御部１３はＰＬＬ部８２−１、８２−２、８２−３のうち一のＰＬＬ部８２に選局チャンネルに対応する周波数の局部発振信号を生成させ、他のＰＬＬ部８２に選局チャンネル以外のチャンネルに対応する周波数の局部発振信号を生成させる。本実施形態では放送受信装置１がＯＮ状態となったときにＰＬＬ部８２−２に選局チャンネルに対応する周波数の局部発振信号を生成させることとして説明する。
【００４１】
本ステップでＰＬＬ部８２−１、８２−３には選局チャンネルに隣接するチャンネルに対応する周波数の局部発振信号を生成させる。選局チャンネルに隣接するチャンネルとは選局ボタン１０４の上端１０４ａ及び下端１０４ｂを押下した際に選局されるチャンネルであり、すなわち現在選局されているチャンネルが割り当てられた数字の前後の数字が付された数字ボタン１０２に割り当てられたチャンネルである。
【００４２】
図６に示すように放送受信装置１の電源がＯＮ状態となったときに、３チャンネルが選局されている場合にＰＬＬ部８２−１、８２−３は夫々、２チャンネル及び４チャンネルに対応する周波数の局部発振信号を生成する。なお、ＰＬＬ部８２−１、８２−３のいずれに２チャンネルに対応する周波数の局部発振信号を生成させ、又は４チャンネルに対応する周波数の局部発振信号を生成させることとしてもよい。
【００４３】
なお、数字ボタン１０２の中でチャンネルが割り当てられていない数字ボタン１０２が存在する場合にはその数字ボタン１０２を除外して選局チャンネルに隣接するチャンネルに対応する周波数の局部発振信号を生成させることとしてもよい。例えば９チャンネルが存在しないときに８チャンネルに隣接するチャンネルは７チャンネル及び１０チャンネルとなる。
【００４４】
ステップＳ０３において制御部１３は選局チャンネルの選局操作（選局チャンネルを変更する操作）があったか否かを判定する。選局チャンネルの選局操作がなければ（ステップＳ０３のＮ）ステップＳ０３の判定を繰り返し、選局チャンネルが選局操作があれば（ステップＳ０３のＹ）ステップＳ０４に進む。
【００４５】
ステップＳ０４において制御部１３は選局操作がなされたチャンネルに対応する周波数の局部発振信号をＰＬＬ部８２（本実施形態ではＰＬＬ部８２−１又は８２−３）が生成しているか否かを判定する。選局操作がなされたチャンネルに対応する周波数の局部発振信号をＰＬＬ部８２が生成していなければ（ステップＳ０４のＮ）ステップＳ０５に進んでＰＬＬ部８２に選局操作がなされたチャンネルに対応する周波数の局部発振信号を生成させる。
【００４６】
選局操作がなされたチャンネルに対応する周波数の局部発振信号をＰＬＬ部８２が生成していれば（ステップＳ０４のＹ）ステップＳ０６に進んで、ミキサ８に局部発振信号を供給するＰＬＬ部８２を切替部８３で切り替える。本実施形態ではＰＬＬ部８２−３が、選局操作のなされた４チャンネルに対応する周波数の局部発振信号を生成しているため制御部１３はミキサ８に局部発振信号を供給するＰＬＬ部をＰＬＬ部８２−２からＰＬＬ部８２−３に切り替える。
【００４７】
ステップＳ０７において制御部１３は新たな選局チャンネルを基準として、新たな選局チャンネルに対応する周波数の局部発振信号を生成するＰＬＬ部（ＰＬＬ部８２−３）以外のＰＬＬ部（ＰＬＬ部８２−１、８２−２）に新たな選局チャンネル以外のチャンネルに対応する周波数の局部発振信号を生成させる。本ステップでＰＬＬ部８２−１、８２−２には新たな選局チャンネルに隣接するチャンネルに対応する周波数の局部発振信号を生成させる。
【００４８】
新たな選局チャンネルは４チャンネルであるから、ＰＬＬ部８１−１、８２−２は夫々、３チャンネル、５チャンネルに対応する周波数の局部発振信号を生成する。
【００４９】
なお、ステップＳ０２と同様にＰＬＬ部８２−１、８２−３のいずれに３チャンネルに対応する周波数の局部発振信号を生成させ、又は５チャンネルに対応する周波数の局部発振信号を生成させることとしてもよいが、ステップＳ０２においてＰＬＬ部８２−２は３チャンネルに対応する周波数の局部発振信号を生成するよう制御部１３に制御されている。従って、図６に示すように本ステップではＰＬＬ部８２−２に３チャンネルに対応する周波数の局部発振信号を生成させることとしてもよい。各ＰＬＬ部８２において可能な限り選局操作前後で生成する局部発振信号を同一の局部発振信号とすることで局部発振信号の生成に必要な時間を短縮することができる。
【００５０】
本実施形態では選局チャンネルに対応する周波数の局部発振信号を生成するＰＬＬ部８２（以下、「選局チャンネルに対応する周波数の局部発振信号を生成するＰＬＬ部」を「メインＰＬＬ部」とも称する。）以外のＰＬＬ部８２（以下、「選局チャンネルに対応する周波数の局部発振信号を生成するＰＬＬ部以外のＰＬＬ部」を「サブＰＬＬ部」とも称する。）が２個であったため、各サブＰＬＬ部に対して夫々選局チャンネルに隣接する２つのチャンネルに対応する周波数の局部発振信号を生成させることとしたが、サブＰＬＬ部の数はこれに限られるものではなく、１個又は３個以上であってもよい。
【００５１】
サブＰＬＬ部の数が１個である場合には選局チャンネルに隣接するチャンネルのうち一方のチャンネルに対応する周波数の局部発振信号を生成することとすればよい。サブＰＬＬ部の数が３個以上である場合には、選局チャンネルに最も隣接するチャンネルから順に隣接するチャンネルに対応する周波数の局部発振信号を生成することとすればよい。
【００５２】
例えばサブＰＬＬ部を４個備え、選局チャンネルが８チャンネルである場合に各サブＰＬＬ部は、８チャンネルに最も隣接するチャンネルである７チャンネル及び９チャンネルチャンネル、次に隣接するチャンネルである６チャンネル及び１０チャンネルに対応する周波数の局部発振信号を生成する。
【００５３】
本実施形態によれば、放送受信装置は互いに異なる周波数の局部発振信号を生成する複数のＰＬＬ部を備える。また、複数のＰＬＬ部から出力される局部発振信号から選局チャンネルに対応する周波数の局部発振信号をミキサに供給する切替部を備える。これにより選局チャンネルが変更された場合にミキサに局部発振信号を供給するＰＬＬ部を、選局操作前のチャンネルに対応する局部発振信号を生成するＰＬＬ部から、選局操作後のチャンネルに対応する局部発振信号を生成するＰＬＬ部に切り替えることで選局操作後のチャンネルの映像が表示される。つまり、選局操作後のチャンネルに対応する周波数の局部発振信号が予め生成されるので選局に要する時間を短縮することができる。
【００５４】
また、サブＰＬＬ部が選局チャンネルに最も隣接するチャンネルから順に隣接するチャンネルに対応する周波数の局部発振信号を生成するので、リモコンの選局ボタンを操作することによる選局チャンネルの変更処理を切替部によってＰＬＬ部を切り替えることで即座に実行することができる。
【００５５】
＜第２実施形態＞
図７は本実施形態の各ＰＬＬ部が生成する局部発振信号の例を示すタイムチャートである。なお、本実施形態の放送受信装置１の制御部１３が実行する処理の流れは図５に示すフローチャートと同様である。第１実施形態と同様にＰＬＬ部８２−１、８２−２、８２−３のうち一のＰＬＬ部８２に選局チャンネルに対応する周波数の局部発振信号を生成させ、他のＰＬＬ部８２に選局チャンネル以外のチャンネルに対応する周波数の局部発振信号を生成させる。本実施形態では放送受信装置１がＯＮ状態となったときにＰＬＬ部８２−１をメインＰＰＬ部として選局チャンネルに対応する周波数の局部発振信号を生成させる。
【００５６】
一方、ＰＬＬ部８２−２及び８２−３にはサブＰＬＬ部として第１実施形態と異なり、過去に選局した選局チャンネルに対応する周波数の局部発振信号を生成させる。
【００５７】
視聴者は視聴したい複数の番組が同時間帯に放送されている場合に、ザッピング（チャンネルを頻繁に切り替えること）しながら各番組を視聴することが考えられる。このような場合には、リモコンの数字ボタン１０２を操作して所望のチャンネルに切替操作可能であるが、他のチャンネルに切り替えても再び切替前に視聴していたチャンネルに戻すことになる。そこで本実施形態ではサブＰＬＬ部であるＰＬＬ部８２−２、８２−３に過去に選局した選局チャンネルに対応する周波数の局部発振信号を生成させる。
【００５８】
放送受信装置１の電源がＯＮ状態となったとき（図７のＴ０３）は電源がＯＦＦされてからＯＮされるまでの間に選局した選局チャンネルが存在しない。この場合にサブＰＬＬ部であるＰＬＬ部８２−２、８２−３は局部発振信号を生成しないこととしてもよいし、所定の周波数の局部発振信号を生成することとしてもよい。局部発振信号を生成する場合には、例えば放送受信装置１の電源がＯＦＦされる前の過去の選局チャンネルに対応する周波数の局部発振信号を生成することとしてもよい。
【００５９】
本実施形態では図７に示すように電源がＯＮされたときの選局チャンネルが３チャンネル、過去の選局チャンネルが直近のものから順に６チャンネルと８チャンネルであることとして、サブＰＬＬ部であるＰＬＬ部８２−２、８２−３は夫々６チャンネル、８チャンネルに対応する周波数の局部発振信号を生成することとしている。
【００６０】
そして１０チャンネルへ選局操作がなされると（図７のＴ０４）、メインＰＬＬ部は１０チャンネルに対応する周波数の局部発振信号を生成し、サブＰＬＬ部は直近に選局していたチャンネルから順に３チャンネル、６チャンネルに対応する周波数の局部発振信号を生成する。その際、本実施形態に示すように直前に最も古い選局チャンネル（８チャンネル）に対応する周波数の局部発振信号を生成していたＰＬＬ部８２−３に新たに選局操作がなされた選局チャンネル（１０チャンネル）に対応する周波数の局部発振信号を生成させると共に切替部８３で切り替えてメインＰＬＬ部とすることとしてもよい。各ＰＬＬ部８２において可能な限り選局操作前後で生成する局部発振信号を同一の局部発振信号とすることで局部発振信号の生成に必要な時間を短縮することができる。
【００６１】
以降選局操作がなされる度に同様の処理を行う。なお、選局操作に係るチャンネルがサブＰＬＬ部で生成している局部発振信号に係るチャンネルであれば（図７のＴ０５）切替部８３で切り替えてそのＰＬＬ部をメインＰＬＬ部とすることで、全てのＰＬＬ部８２において選局操作前後で生成する局部発振信号を同一の局部発振信号とすることができる。
【００６２】
本実施形態によれば第１実施形態と同様に放送受信装置は互いに異なる周波数の局部発振信号を生成する複数のＰＬＬ部を備える。また、複数のＰＬＬ部から出力される局部発振信号から選局チャンネルに対応する周波数の局部発振信号をミキサに供給する切替部を備える。これにより選局チャンネルが変更された場合にミキサに局部発振信号を供給するＰＬＬ部を、選局操作前のチャンネルに対応する局部発振信号を生成するＰＬＬ部から、選局操作後のチャンネルに対応する局部発振信号を生成するＰＬＬ部に切り替えることで選局操作後のチャンネルの映像が表示される。つまり、選局操作後のチャンネルに対応する周波数の局部発振信号が予め生成されるので選局に要する時間を短縮することができる。
【００６３】
また、サブＰＬＬ部は過去に選局した選局チャンネルに対応する周波数の局部発振信号を生成するので過去に選局した選局チャンネルへの再切替の際に、選局チャンネルの変更処理を切替部によってＰＬＬ部を切り替えることで即座に実行することができる。
【００６４】
＜第３実施形態＞
図８は本実施形態の各ＰＬＬ部が生成する局部発振信号の例を示すタイムチャートである。なお、本実施形態の放送受信装置１の制御部１３が実行する処理の流れは図５に示すフローチャートと同様である。第１実施形態と同様にＰＬＬ部８２−１、８２−２、８２−３のうち一のＰＬＬ部８２に選局チャンネルに対応する周波数の局部発振信号を生成させ、他のＰＬＬ部８２に選局チャンネル以外のチャンネルに対応する周波数の局部発振信号を生成させる。本実施形態では放送受信装置１がＯＮ状態となったときにＰＬＬ部８２−１をメインＰＰＬ部として選局チャンネルに対応する周波数の局部発振信号を生成させる。
【００６５】
また、ＰＬＬ部８２−２及び８２−３にはサブＰＬＬ部として第２実施形態と同様に、過去に選局した選局チャンネルに対応する周波数の局部発振信号を生成させる。但し本実施形態では過去に選局した選局チャンネルの選局時間（視聴時間）が所定時間以上のチャンネルに対応する周波数の局部発振信号を生成させ、過去に選局した選局チャンネルの選局時間が所定時間未満のチャンネルに対応する周波数の局部発振信号を生成しない。
【００６６】
視聴者は視聴している番組の途中でコマーシャルが放送された場合に他のチャンネルでどのような番組が放送されているかザッピングすることが考えられる。このような場合にはコマーシャル放送が終了する頃に視聴していた番組にチャンネルを戻すと考えられ、ザッピング中に短時間視聴したに過ぎない番組は視聴者が視聴したい番組ではないことが多いと考えられる。一方、ザッピング中にある程度の時間視聴した番組は視聴者が興味を持った番組であると考えられる。そこで本実施形態ではサブＰＰＬ部に過去に選局した選局チャンネルのうち所定時間（ｔ0）以上選局していた選局チャンネルに対応する周波数の局部発振信号を生成させる。
【００６７】
なお、図８に示す選局時間ｔ1、ｔ2、ｔ3、ｔ4について以下の数式が成立することとして以下説明を行う。
３チャンネルの選局時間ｔ1＞所定時間ｔ0・・・数式（１）
１０チャンネルの選局時間ｔ2＞所定時間ｔ0・・・数式（２）
４チャンネルの選局時間ｔ3＜所定時間ｔ0・・・数式（３）
１チャンネルの選局時間ｔ4＞所定時間ｔ0・・・数式（４）
【００６８】
放送受信装置１の電源がＯＮ状態となったとき（図８のＴ０６）は電源がＯＦＦされてからＯＮされるまでの間に選局した選局チャンネルが存在しない。この場合にサブＰＬＬ部であるＰＬＬ部８２−２及び８２−３は局部発振信号を生成しないこととしてもよいし、所定の周波数の局部発振信号を生成することとしてもよいことは第２実施形態と同様である。
【００６９】
図８に示すように本実施形態でも第２実施形態と同様に、電源がＯＮされたときの選局チャンネルが３チャンネル、過去の選局チャンネルが直近のものから順に６チャンネルと８チャンネルであることとして、サブＰＬＬ部であるＰＬＬ部８２−２、８２−３は夫々６チャンネル、８チャンネルに対応する周波数の局部発振信号を生成することとしている。
【００７０】
そして１０チャンネルへ選局操作がなされると（図８のＴ０７）、メインＰＬＬ部は１０チャンネルに対応する周波数の局部発振信号を生成する。また上記数式（１）に示すように直前の選局チャンネルである３チャンネルの選局時間（Ｔ０６からＴ０７までの時間）ｔ1は所定時間ｔ0よりも大きいため、サブＰＬＬ部は直近に選局していたチャンネルから順に３チャンネル、６チャンネルに対応する周波数の局部発振信号を生成する。
【００７１】
その際、直前に最も古い選局チャンネル（８チャンネル）に対応する周波数の局部発振信号を生成していたＰＬＬ部８２−３に新たに選局操作がなされた選局チャンネル（１０チャンネル）に対応する周波数の局部発振信号を生成させると共に切替部８３で切り替えてメインＰＬＬ部とすることとしてもよい。各ＰＬＬ部８２において可能な限り選局操作前後で生成する局部発振信号を同一の局部発振信号とすることで局部発振信号の生成に必要な時間を短縮することができる。以降の処理においても同様である。
【００７２】
次に４チャンネルへ選局操作がなされると（図８のＴ０８）、メインＰＬＬ部は４チャンネルに対応する周波数の局部発振信号を生成する。また上記数式（２）に示すように直前の選局チャンネルである１０チャンネルの選局時間（Ｔ０７からＴ０８までの時間）ｔ2は所定時間ｔ0よりも大きいため、サブＰＬＬ部は直近に選局していたチャンネルから順に１０チャンネル、３チャンネルに対応する周波数の局部発振信号を生成する。
【００７３】
次に１チャンネルへ選局操作がなされると（図８のＴ０９）、メインＰＬＬ部は１チャンネルに対応する周波数の局部発振信号を生成する。また上記数式（３）に示すように直前の選局チャンネルである４チャンネルの選局時間（Ｔ０８からＴ０９までの時間）ｔ3は所定時間ｔ0よりも小さいため、サブＰＬＬ部は直近に選局していたチャンネルの内、選局時間が所定時間ｔ0以上であるものから順に１０チャンネル、３チャンネルに対応する周波数の局部発振信号を生成する。
【００７４】
次に１０チャンネルへ選局操作がなされると（図８のＴ１０）、メインＰＬＬ部は１０チャンネルに対応する周波数の局部発振信号を生成する。また上記数式（４）に示すように直前の選局チャンネルである１チャンネルの選局時間（Ｔ０９からＴ１０までの時間）ｔ4は所定時間ｔ0よりも大きいため、サブＰＬＬ部は直近に選局していたチャンネルの内、選局時間が所定時間ｔ0以上であるものから順に１チャンネル、３チャンネルに対応する周波数の局部発振信号を生成する。
【００７５】
その際、１０チャンネルに対応する周波数の局部発振信号は選局操作前からＰＬＬ部８２−３が生成しているから切替部８３で切り替えることでＰＬＬ部８２−３をメインＰＬＬ部とすればよい。また、同様に３チャンネル及び１チャンネルに対応する周波数の局部発振信号は夫々選局操作前からＰＬＬ部８２−１、８２−２が生成しているから、選局操作後も引き続きＰＬＬ部８２−１、８２−２生成させることとすればよい。各ＰＬＬ部８２において可能な限り選局操作前後で生成する局部発振信号を同一の局部発振信号とすることで局部発振信号の生成に必要な時間を短縮することができる。
【００７６】
本実施形態によれば第２実施形態と同様の効果を奏する。加えて、サブＰＬＬ部は過去に選局した選局チャンネルのうちに所定時間以上選局していたチャンネルに対応する周波数の局部発振信号を生成するので、短時間で連続してチャンネルを切り替えた場合にサブＰＬＬ部はそれらチャンネルに対応する周波数の局部発振信号を生成せず、長時間選局されていたチャンネルに対応する周波数の局部発振信号を生成するのでユーザの利便性が高い。
【００７７】
＜第４実施形態＞
図９は本実施形態の各ＰＬＬ部が生成する局部発振信号の例を示すタイムチャートである。なお、本実施形態の放送受信装置１の制御部１３が実行する処理の流れは図５に示すフローチャートと同様である。第１実施形態と同様にＰＬＬ部８２−１、８２−２、８２−３のうち一のＰＬＬ部８２に選局チャンネルに対応する周波数の局部発振信号を生成させ、他のＰＬＬ部８２に選局チャンネル以外のチャンネルに対応する周波数の局部発振信号を生成させる。本実施形態でも第１実施形態と同様に本実施形態でも第１実施形態と同様にメインＰＰＬ部８２に選局チャンネルに対応する周波数の局部発振信号を生成させる。本実施形態では放送受信装置１がＯＮ状態となったときにＰＬＬ部８２−１をメインＰＰＬ部として選局チャンネルに対応する周波数の局部発振信号を生成させる。
【００７８】
また、サブＰＬＬ部であるＰＬＬ部８２−２及び８２−３には選局チャンネルを基準としてチャンネルの選局操作に対応付けられた連続するチャンネルに対応する周波数の局部発振信号を生成させる。但し、放送受信装置１の電源がＯＮ状態となったとき（図９のＴ１１）はチャンネルの選局操作が実行されていない。この場合にサブＰＬＬ部であるＰＬＬ部８２−２及び８２−３は局部発振信号を生成しないこととしてもよいし、所定の周波数の局部発振信号を生成することとしてもよい。所定の周波数の局部発振信号を生成する場合には、例えば選局操作が検出するまでは第１実施形態に示すように選局チャンネルに隣接するチャンネルに対応する周波数の局部発振信号を生成することとしてもよい。
【００７９】
本実施形態では図９に示すように電源がＯＮされたときにサブＰＬＬ部であるＰＬＬ部８２−２及び８２−３は局部発振信号を生成しないこととしている。
【００８０】
視聴者は各チャンネルでどのような番組が放送されているかを知るためにザッピングする際に、リモコン１００の選局ボタン１０４の上端１０４ａ又は下端１０４ｂを連続して押下或いは押下状態を維持することで順次チャンネルの切り替えを行うことが考えられる。そこで本実施形態では一方向への選局操作を検出した場合にサブＰＰＬ部に選局チャンネルを基準としてチャンネルの選局操作に対応付けられた連続するチャンネルに対応する周波数の局部発振信号を生成させる。
【００８１】
そしてリモコン１００の選局ボタン１０４の上端１０４ａが押下されて４チャンネルへ選局操作がなされると（図９のＴ１２）、メインＰＬＬ部は４チャンネルに対応する周波数の局部発振信号を生成する。また、サブＰＬＬ部は選局操作に対応付けられた連続するチャンネル、具体的には順次大きな数字が付された数字ボタン１０２に割り当てられたチャンネルに切り替えられた際に切替部８３によって切り替えることで即座に出画可能となるように４チャンネルから数字が大きくなる方向に連続する５チャンネル及び６チャンネルに対応する周波数の局部発振信号を生成する。
【００８２】
引き続きリモコン１００の選局ボタン１０４の上端１０４ａが押下されて５チャンネルへ選局操作がなされると（図９のＴ１３）、選局操作に係るチャンネルはサブＰＬＬ部であるＰＬＬ部８２−２が生成している局部発振信号に係るチャンネルであるため、切替部８３でＰＬＬ部８２−２をメインＰＬＬ部とする。
【００８３】
また、サブＰＬＬ部であるＰＬＬ部８２−１、８２−３は選局操作に対応付けられた連続する６チャンネル及び７チャンネルに対応する周波数の局部発振信号を生成する。その際、６チャンネルに対応する周波数の局部発振信号は選局操作前からＰＬＬ部８２−３が生成しているから、選局操作後も引き続きＰＬＬ部８２−３に生成させ、新たに生成することとなった７チャンネルに対応する周波数の局部発振信号は直近の選局チャンネルに対応する周波数の局部発振信号を生成していたＰＬＬ部８２−１に生成させることとすればよい。各ＰＬＬ部８２において可能な限り選局操作前後で生成する局部発振信号を同一の局部発振信号とすることで局部発振信号の生成に必要な時間を短縮することができる。
【００８４】
本実施形態によれば第１実施形態と同様に放送受信装置は互いに異なる周波数の局部発振信号を生成する複数のＰＬＬ部を備える。また、複数のＰＬＬ部から出力される局部発振信号から選局チャンネルに対応する周波数の局部発振信号をミキサに供給する切替部を備える。これにより選局チャンネルが変更された場合にミキサに局部発振信号を供給するＰＬＬ部を、選局操作前のチャンネルに対応する局部発振信号を生成するＰＬＬ部から、選局操作後のチャンネルに対応する局部発振信号を生成するＰＬＬ部に切り替えることで選局操作後のチャンネルの映像が表示される。つまり、選局操作後のチャンネルに対応する周波数の局部発振信号が予め生成されるので選局に要する時間を短縮することができる。
【００８５】
また、サブＰＬＬ部が選局チャンネルに選局操作に対応付けられた連続するチャンネルに対応する周波数の局部発振信号を生成するので、リモコンの選局ボタンを連続して操作することによる選局チャンネルの変更処理を切替部によってＰＬＬ部を切り替えることで即座に実行することができる。
【００８６】
＜第５実施形態＞
【００８７】
図１０は本実施形態の各ＰＬＬ部が生成する局部発振信号の例を示すタイムチャートである。なお、本実施形態の放送受信装置１の制御部１３が実行する処理の流れは図５に示すフローチャートと同様である。第１実施形態と同様にＰＬＬ部８２−１、８２−２、８２−３のうち一のＰＬＬ部８２に選局チャンネルに対応する周波数の局部発振信号を生成させ、他のＰＬＬ部８２に選局チャンネル以外のチャンネルに対応する周波数の局部発振信号を生成させる。本実施形態では放送受信装置１がＯＮ状態となったときにＰＬＬ部８２−１をメインＰＰＬ部として選局チャンネルに対応する周波数の局部発振信号を生成させる。
【００８８】
また、サブＰＬＬ部であるＰＬＬ部８２−２、８２−３には最も視聴頻度の高いチャンネルから順に視聴頻度の高いチャンネルに対応する周波数の局部発振信号を生成させる。
【００８９】
視聴者は曜日や時間帯によって高頻度で視聴するチャンネルがある程度決まっていることがある。例えば平日の午前中の時間帯であれば特定のチャンネルのニュース番組を視聴し、夕方以降の時間帯であれば曜日及び時間帯毎に特定のチャンネルのバラエティ番組やドラマ番組を視聴することがある。そこで本実施形態ではサブＰＬＬ部であるＰＬＬ部８２−２、８２−３に曜日及び時間帯に基づいて最も視聴頻度の高いチャンネルから順に視聴頻度の高いチャンネルに対応する周波数の局部発振信号を生成させる。
【００９０】
本実施形態において視聴頻度とは視聴時間であってもよいし、視聴回数であってもよい。また、曜日及び時間帯に基づいて視聴頻度を算出することとしているが、これに限られるものではなく曜日又は時間帯に基づいて算出することとしてもよいし、これ以外の条件、例えば過去一週間の視聴頻度を算出することとしてもよい。
【００９１】
例えば月曜日の１９時〜２２時における１時間毎の視聴頻度が図１１に示すようになっており、放送受信装置１の電源がＯＮされたとき（図１０のＴ１４）の選局チャンネルが３チャンネルである場合を例に説明を行う。１９時から２０時の視聴頻度は視聴頻度が高いものから順に３チャンネル、８チャンネル、４チャンネルである。そして放送受信装置１の電源がＯＮされたときの選局チャンネルが３チャンネルであることからＰＬＬ部８２−１はメインＰＬＬ部として３チャンネルに対応する周波数の局部発振信号を生成する。また、ＰＬＬ部８２−２及び８２−３はサブＰＬＬ部として選局チャンネルである３チャンネルを除いて視聴頻度が高い８チャンネル及び４チャンネルに対応する周波数の局部発振信号を生成する。
【００９２】
２０時から２１時の視聴頻度は視聴頻度が高いものから順に３チャンネル、６チャンネル、４チャンネルである。従って２０時になると、サブＰＬＬ部であるＰＬＬ部８２−２、８２−３は選局チャンネルである３チャンネルを除いて視聴頻度が高い６チャンネル及び４チャンネルに対応する周波数の局部発振信号を生成する。
【００９３】
その際、４チャンネルに対応する周波数の局部発振信号は選局操作前からＰＬＬ部８２−３が生成しているから、選局操作後も引き続きＰＬＬ部８２−３に生成させ、新たに生成することとなった６チャンネルに対応する周波数の局部発振信号をＰＬＬ部８２−２に生成させることとすればよい。各ＰＬＬ部８２において可能な限り選局操作前後で生成する局部発振信号を同一の局部発振信号とすることで局部発振信号の生成に必要な時間を短縮することができる。
【００９４】
その後２０時３０分に１チャンネルへ選局操作がなされると（図１０のＴ１５）、メインＰＬＬ部は１チャンネルに対応する周波数の局部発振信号を生成する。また、サブＰＬＬ部は視聴頻度が高い３チャンネル及び４チャンネルに対応する周波数の局部発振信号を生成する。その際も、上述したように可能な限り選局操作前後で生成する局部発振信号を同一の局部発振信号とすることが望ましく、本実施形態ではＰＬＬ部８２−３をメインＰＬＬ部に切り替えて１チャンネルに対応する周波数の局部発振信号を生成させる。
【００９５】
２１時から２２時の視聴頻度は視聴頻度が高いものから順に１０チャンネル、７チャンネル、６チャンネルである。従って２１時になると、サブＰＬＬ部であるＰＬＬ部８２−１、８２−３は視聴頻度が高い１０チャンネル及び７チャンネルに対応する周波数の局部発振信号を生成する。
【００９６】
その後２１時３０分に１０チャンネルへ選局操作がなされると（図１０のＴ１６）、メインＰＬＬ部は１０チャンネルに対応する周波数の局部発振信号を生成する。また、サブＰＬＬ部は選局チャンネルである１０チャンネルを除いて視聴頻度が高い７チャンネル及び６チャンネルに対応する周波数の局部発振信号を生成する。
【００９７】
その際１０チャンネルに対応する周波数の局部発振信号は選局操作前からＰＬＬ部８２−１が生成しているから、切替部８３で切り替えることでＰＬＬ部８２−１をメインＰＬＬ部とすればよい。また、同様に７チャンネルに対応する周波数の局部発振信号は選局操作前からＰＬＬ部８２−２が生成しているから、選局操作後も引き続きＰＬＬ部８２−２に生成させ、新たに生成することとなった６チャンネルに対応する周波数の局部発振信号はＰＬＬ部８２−３に生成させることとすればよい。
【００９８】
本実施形態によれば第１実施形態と同様に放送受信装置は互いに異なる周波数の局部発振信号を生成する複数のＰＬＬ部を備える。また、複数のＰＬＬ部から出力される局部発振信号から選局チャンネルに対応する周波数の局部発振信号をミキサに供給する切替部を備える。これにより選局チャンネルが変更された場合にミキサに局部発振信号を供給するＰＬＬ部を、選局操作前のチャンネルに対応する局部発振信号を生成するＰＬＬ部から、選局操作後のチャンネルに対応する局部発振信号を生成するＰＬＬ部に切り替えることで選局操作後のチャンネルの映像が表示される。つまり、選局操作後のチャンネルに対応する周波数の局部発振信号が予め生成されるので選局に要する時間を短縮することができる。
【００９９】
また、サブＰＬＬ部が最も視聴頻度の高いチャンネルから順に視聴頻度の高いチャンネルに対応する周波数の局部発振信号を生成するので、視聴者にとって所望のチャンネルへの切り替えがスムーズに実行されるので利便性が高い。
【符号の説明】
【０１００】
１      放送受信装置
２      チューナ
３      入力端子
４      第１の可変利得器
５      第１のフィルタ
６      第２の可変利得器
７      ミキサ
８      局部発振器
９      第２のフィルタ
１０    第３の可変利得器
１１    出力端子
１２    復調器
１３    制御部
８１    基準信号発生部
８２    ＰＬＬ部
８３    切替部
８２１  電圧制御発振器（ＶＣＯ）
８２２  分周器（ＤＩＶ）
８２３  位相比較器
８２４  ループフィルタ
８２５  分周器（ＤＩＶ）
【図１】
2014175740.tif 000003
【図２】
2014175740.tif 000004
【図３】
2014175740.tif 000005
【図４】
2014175740.tif 000006
【図５】
2014175740.tif 000007
【図６】
2014175740.tif 000008
【図７】
2014175740.tif 000009
【図８】
2014175740.tif 000010
【図９】
2014175740.tif 000011
【図１０】
2014175740.tif 000012
【図１１】
2014175740.tif 000013